(57)【要約】【課題】ケーブルを固定する際に、クリック感があるコネクタを提供する。【解決手段】固定部３１、可動部３２、支持部３３からなる断面Ｈ字状の第１のコンタクト３において、固定部３１にバネ突起部３５を設けた。このバネ突起部３５は、操作レバー５のカム部５１に対向して乗り上げ突部３５ａを有しており、操作レバー５の回動操作に応じて押し込まれ、操作レバー５が一方にしか回動できない位置にあるときは、カム部５１から外れている。すなわち、操作レバー５を回動させる際、カム部５１が乗り上げ突部３５ａを乗り越えることでクリック感が得られ、操作レバー５が可動終了位置まで回転したことが容易にわかるようになっている。【選択図】図１
2011065830.tif 000002
【特許請求の範囲】
【請求項１】
表面に開口するケーブル挿入口を通して、内部に設けたコンタクト収納空間に扁平なケーブルが挿抜されるコネクタ本体と、導電性材料からなり、前記コンタクト収納空間内部に配設されて前記ケーブルを厚み方向の一方側及び他方側から狭持するとともに当該ケーブルに電気的に接続される複数のコンタクトと、前記コンタクト収納空間に挿入されるケーブルを相対的に抜けにくくする抜止位置と相対的に抜けやすくする挿抜位置との間で回動自在となるように前記コネクタ本体に配置されて、抜止位置では、その端部に形成されたカム部で前記コンタクトを押圧することにより、これらコンタクトを前記ケーブルに弾接させる操作レバーとを備え、
前記コンタクトは、前記コンタクト収納空間の一方側の内面に固定されるとともに他方側の端面で前記操作レバーのカム部と対向する固定部と、前記カム部と他方側から係合して前記操作レバーの他方側への移動を規制するとともに、このカム部の回動に応じて変位する可動部と、前記固定部に対して前記可動部を揺動自在に支持する支持部とを有し、
前記複数のコンタクトのうちで少なくともいずれか一つのコンタクトの固定部には、前記ケーブルの厚み方向へ弾性変位可能であって前記カム部に対向して乗り上げ突部を有するバネ突起部が設けられ、このバネ突起部は、前記操作レバーを挿抜位置から抜止位置にかけて回転させる際には前記乗り上げ突部が前記カム部で押圧されることにより押下げられ、この操作レバーを抜止位置にまで回転させた際には、前記カム部が前記乗り上げ突部から外れることにより押下げられていない位置へと弾性的に復帰するよう形成されてなることを特徴とするコネクタ。
【請求項２】
前記複数のコンタクトのすべてに、前記乗り上げ突部を有するバネ突起部を設けたことを特徴とする請求項１記載のコネクタ。
【請求項３】
導電性材料からなり、前記コンタクト収納空間の内部に前記コンタクトと交互に並設されて、前記ケーブルを厚み方向の一方側及び他方側から狭持するとともに前記コンタクトとは異なる接点位置で当該ケーブルに電気的に接続される第２のコンタクトを備え、
前記第２のコンタクトは、前記コンタクト収納空間の一方側の内面に固定された第２の固定部と、前記操作レバーのカム部と一方側から係合して当該操作レバーの一方側への移動を規制するとともに、このカム部の回動に応じて変位する第２の可動部と、前記第２の固定部に対して前記第２の可動部を揺動自在に支持する第２の支持部とを有し、
前記操作レバーは、前記カム部が前記可動部と前記第２の可動部により他方側と一方側から弾性狭持されることで、前記コネクタ本体に対して回動自在に保持されてなることを特徴とする請求項１または２記載のコネクタ。
【発明の詳細な説明】
【技術分野】
【０００１】
本発明は、フレキシブルプリント基板（Flexible PrintedCircuits）のような薄型ケーブルが接続されるコネクタに関するものである。
【背景技術】
【０００２】
従来、フレキシブルプリント基板（以下、ＦＰＣと記す）のような薄型のケーブルを接続するコネクタとして、例えば特許文献１に記載されたものがある。このコネクタは、コネクタ本体のコンタクト収納空間内に、交互に列状に並設された複数の第１のコンタクト及び第２のコンタクトを備え、各コンタクトにおいて弾性連結部で接続された上辺部と下辺部との間に、ケーブルが挿入されるようになっている。そして、各コンタクトの上辺部または下辺部の少なくともいずれか一方には、ケーブル表面の導体パターンと接触する接点部が設けられ、これら第１のコンタクトの接点部と第２のコンタクトの接点部とは、ケーブル挿入方向において互いにずれて設けられている。このコネクタにケーブルを接続するには、各コンタクトの上辺部と下辺部との間にケーブルを挿入した後、絶縁体からなる操作レバー（アクチュエーター）を操作することで操作レバーのカム部を回転させ、このカム部で各コンタクトの上辺部を押圧する。これにより、コンタクトの上辺部は弾性連結部を支点として揺動変位し、下辺部とともにケーブルを狭持する。このとき、ケーブル表面の導体パターンと各コンタクトの接点部とが接触することで、ケーブルとコネクタとは電気的に接続される。
【０００３】
この種のコネクタには、図６に示すような薄型のケーブル２００が接続される。このケーブル２００の一表面には、複数の導体パターン２０１が幅方向に並べて平行に配置されており、導体パターン２０１においてコンタクトと接触する部位は、電気的な接続を確実にするために他の部位に比べて幅広に形成されている。この幅広部２０２を、ケーブル挿入方向において第１及び第２のコンタクトに設けた接点部と対向する位置となるように位置をずらして交互に配置することで、電気的接続の信頼性を高めるとともに、ケーブル２００の幅寸法を小さくして極数を増やすことができる。
【先行技術文献】
【特許文献】
【０００４】
【特許文献１】特開２００８−４４０４号公報
【発明の概要】
【発明が解決しようとする課題】
【０００５】
上記のようなコネクタでは、ケーブルをコネクタに接続する際、ケーブルをコンタクト本体内部に挿入後、操作レバーを抜止位置まで回転させてケーブルを押圧固定している。しかし、操作レバーを抜止位置まで回転させても操作感には変化がないため、操作者には、操作レバーが抜止位置まで回転しているのかどうかはっきりとはわからない。このため、操作レバーを抜止位置よりも回転させようとしてコネクタを破損させたり、コネクタの破損を恐れて操作レバーを抜止位置まで回転させず、結果的にケーブルがコネクタに確実に固定されなくなるなど、作業性が低下してしまうという問題があった。
【０００６】
本発明は上記問題点に鑑みて為されたものであり、その目的とするところは、操作レバーを操作してケーブルを固定する際に適当なクリック感が得られ、ケーブルをコネクタに接続する際における作業性の高いコネクタを提供することにある。
【課題を解決するための手段】
【０００７】
上記目的を達成するために、請求項１の発明は、表面に開口するケーブル挿入口を通して、内部に設けたコンタクト収納空間に扁平なケーブルが挿抜されるコネクタ本体と、導電性材料からなり、前記コンタクト収納空間内部に配設されて前記ケーブルを厚み方向の一方側及び他方側から狭持するとともに当該ケーブルに電気的に接続される複数のコンタクトと、前記コンタクト収納空間に挿入されるケーブルを相対的に抜けにくくする抜止位置と相対的に抜けやすくする挿抜位置との間で回動自在となるように前記コネクタ本体に配置されて、抜止位置では、その端部に形成されたカム部で前記コンタクトを押圧することにより、これらコンタクトを前記ケーブルに弾接させる操作レバーとを備え、前記コンタクトは、前記コンタクト収納空間の一方側の内面に固定されるとともに他方側の端面で前記操作レバーのカム部と対向する固定部と、前記カム部と他方側から係合して前記操作レバーの他方側への移動を規制するとともに、このカム部の回動に応じて変位する可動部と、前記固定部に対して前記可動部を揺動自在に支持する支持部とを有し、前記複数のコンタクトのうちで少なくともいずれか一つのコンタクトの固定部には、前記ケーブルの厚み方向へ弾性変位可能であって前記カム部に対向して乗り上げ突部を有するバネ突起部が設けられ、このバネ突起部は、前記操作レバーを挿抜位置から抜止位置にかけて回転させる際には前記乗り上げ突部が前記カム部で押圧されることにより押下げられ、この操作レバーを抜止位置にまで回転させた際には、前記カム部が前記乗り上げ突部から外れることにより押下げられていない位置へと弾性的に復帰するよう形成されてなることを特徴とする。
【０００８】
請求項１の発明では、操作レバーを挿抜位置から抜止位置にかけて回転させる際に、操作レバーのカム部の一端が、固定部に設けたバネ突起部を弾性変位させながら乗り上げ突部を乗り越えるようになっている。よって操作者は、カム部が乗り上げ突部を乗り越えたときに適当なクリック感を得ることができ、操作レバーが抜止位置まで回転したことを容易に認識することができる。また、乗り上げ突部は弾性変位可能なバネ突起部に設けられているので、カム部が乗り上げ突部を乗り越えているときに当該カム部が乗り上げ突部により押上げられて操作レバーが不安定になるおそれが小さく、安定して操作レバーを操作することができる。
【０００９】
請求項２の発明は、請求項１記載のコネクタにおいて、前記複数のコンタクトのすべてに、前記乗り上げ突部を有するバネ突起部を設けたことを特徴とする。
【００１０】
請求項２の発明では、すべてのコンタクトに乗り上げ突部を設けている。よって操作者は、カム部が乗り上げ突部を乗り越えたときに大きなクリック感を得ることができ、操作レバーが抜止位置まで回転したことを確実に認識することができる。
【００１１】
請求項３の発明は、請求項１または２記載のコネクタにおいて、導電性材料からなり、前記コンタクト収納空間の内部に前記コンタクトと交互に並設されて、前記ケーブルを厚み方向の一方側及び他方側から狭持するとともに前記コンタクトとは異なる接点位置で当該ケーブルに電気的に接続される第２のコンタクトを備え、前記第２のコンタクトは、前記コンタクト収納空間の一方側の内面に固定された第２の固定部と、前記操作レバーのカム部と一方側から係合して当該操作レバーの一方側への移動を規制するとともに、このカム部の回動に応じて変位する第２の可動部と、前記第２の固定部に対して前記第２の可動部を揺動自在に支持する第２の支持部とを有し、前記操作レバーは、前記カム部が前記可動部と前記第２の可動部により他方側と一方側から弾性狭持されることで、前記コネクタ本体に対して回動自在に保持されてなることを特徴とする。
【００１２】
請求項３の発明によれば、前記コンタクトと、前記コンタクトとは接点位置の異なる第２のコンタクトとを交互に並設しているので、各コンタクトを狭い間隔で配設することができ、コネクタを小型化することができる。また、前記可動部と第２の可動部とで操作レバーのカム部を狭持しているので、コネクタ本体に操作レバーの軸受構造を設けなくても、操作レバーを保持することができる。
【発明の効果】
【００１３】
本発明は、操作レバーを操作してケーブルを固定する際に適当なクリック感が得られ、ケーブルをコネクタに接続する際における作業性の高いコネクタを提供することができる。
【図面の簡単な説明】
【００１４】
【図１】本実施形態のコネクタ１を示し、（ａ）は図３のＡ−Ａ線断面矢視図、（ｂ）は図４のＣ−Ｃ線断面矢視図である。
【図２】同上のコネクタ１を示し、（ａ）は図３のＢ−Ｂ線断面矢視図、（ｂ）は図４のＤ−Ｄ線断面矢視図である。
【図３】同上のコネクタ１を示し、（ａ）〜（ｃ）は操作レバー５を挿抜位置に回転させた状態の三面図である。
【図４】同上のコネクタ１を示し、（ａ）〜（ｃ）は操作レバー５を抜止位置に回転させた状態の三面図である。
【図５】同上のコネクタ１を示し、（ａ）は操作レバー５を挿抜位置に回転させた状態の外観斜視図、（ｂ）は操作レバー５を抜止位置に回転させた状態の外観斜視図である。
【図６】従来例のコネクタに接続されるケーブル２００の平面図である。
【発明を実施するための形態】
【００１５】
以下では、本発明の実施形態を図面を参照して説明する。尚、以下の説明では特に断りがないかぎり、図３（ａ）に示す向きにおいて上下左右の方向を規定し、図１、図２、図３（ｃ）における左側を前側、右側を後側と規定して説明を行うこととする。
【００１６】
本実施形態のコネクタ１は７極タイプのコネクタであり、コネクタ本体２と、２種類のコンタクト（第１のコンタクト３、第２のコンタクト４）と、操作レバー５とを主要な構成として備えている。このコネクタ１には、７つの導体パターン１０１を幅方向（左右方向）に並べて平行に配置した薄型のケーブル１００が接続され、導体パターン１０１において各コンタクト３，４と接触する部位は、前述の従来例に接続されるケーブル２００と同様に、電気的な接続を確実にするために他の部位に比べて幅広に形成されている（幅広部１０２）。尚、コネクタ１の極数は上記の極数に限定されるものではなく、仕様に応じた極数のものが製造可能である。
【００１７】
コネクタ本体２は、絶縁性を有する合成樹脂の成形品からなり、前後方向（ケーブル挿入方向）の一面（後面）に、内部のコンタクト収納空間２０と外部とを連通するケーブル挿入口２１が開口するとともに、前後方向の他面（前面）から上壁の一部にかけて開口部２２が設けられている。またコンタクト収納空間２０は、左右方向において所定のピッチで設けられた隔壁２３によって複数個の収納室に仕切られており、各々の収納室には、第１のコンタクト３か第２のコンタクト４のいずれかが、１個ずつ収納されている。また隔壁２３には、ケーブル挿入口２１側に開放されて、ケーブル挿入口２１から挿入されるケーブル１００の上下両面をガイドするガイド溝２４がケーブル挿入方向に沿って形成されている。
【００１８】
２種類のコンタクト３，４は、例えばベリリウム銅などの弾性および導電性に優れた金属材料により形成され、コネクタ本体２の左右方向において交互に配置されている。ここで、第１のコンタクト３はコネクタ本体２の左右方向一端部から偶数番目（２，４，６番目）に配置され、第２のコンタクト４はコネクタ本体２の左右方向一端部から奇数番目（１，３，５，７番目）に配置されている。
【００１９】
偶数ピンの第１のコンタクト３は、図１（ａ）（ｂ）に示すように、コンタクト収納空間２０の内部にケーブル挿入方向（前後方向）に沿って対向配置されて、両者の間に挿入されるケーブル１００を下側（一方側）及び上側（他方側）から挟持する固定部３１及び可動部３２と、固定部３１と可動部３２を接続する支持部３３とを有しており、支持部３３は、固定部３１及び可動部３２の前後方向の中間部（ガイド溝２４の前端位置よりも前側）で、固定部３１に対して揺動自在に可動部３２を支持している。この第１のコンタクト３は、固定部３１と可動部３２と支持部３３とでＨ字状に形成されており、開口部２２側から各収納室に挿入されている。
【００２０】
第１のコンタクト３の固定部３１は、コネクタ本体２の内面（下壁の上面）に下側縁を当接させた状態でコンタクト収納空間２０に配置される。固定部３１においてケーブル挿入口２１側の先端部には、可動部３２側に向かって爪３１ａが突設されている。また固定部３１において開口部２２側の端部には、コネクタ本体２の下壁に設けた切欠部２ａから下方に延出して、実装基板（図示せず）に設けられた導体パターンに半田付けされる端子片３４が設けられている。そして、固定部３１において支持部３３よりも前側（図１の左側）には、端子片３４の上部から支持部３３へ向かって突出したバネ突起部３５が設けられている。このバネ突起部３５の先端部と固定部３１の間には、バネ突起部３５に負荷がかかっていない状態で隙間が形成されており、バネ突起部３５の先端部は上下方向に弾性変位可能となっている。またバネ突起部３５の先端部には、後述する操作レバー５のカム部５１に対向して、このカム部５１を回動させたときに当該カム部５１が乗り上げ可能な、なだらかな山状の乗り上げ突部３５ａが突設されている。
【００２１】
第１のコンタクト３の可動部３２には、ケーブル挿入口２１側の先端部から、固定部３１側に向かって爪３２ａが突設されており、固定部３１側の爪３１ａと可動部３２側の爪３２ａとで、固定部３１と可動部３２との間に挿入されるケーブル１００を挟持する構成となっている。また可動部３２において、支持部３３に支持される部位よりも前側（図１の左側）の部位の下面には、後述する操作レバー５のカム部５１が嵌る半円状の凹部３６が形成されており、この可動部３２によって、操作レバー５の上側（他方側）への移動を規制している。
【００２２】
一方、奇数ピンの第２のコンタクト４は、図２（ａ）（ｂ）に示すように、コンタクト収納空間２０の内部にケーブル挿入方向（前後方向）に沿って対向配置されて、両者の間に挿入されるケーブル１００を下側（一方側）及び上側（他方側）から挟持する固定部４１及び可動部４２と、固定部４１及び可動部４２の前端側（図２の左側）において固定部４１に対して可動部４２を揺動自在に支持する支持部４３とを有している。第２のコンタクト４は、固定部４１と可動部４２と支持部４３とでＵ字状に形成されており、支持部４３を先頭にしてケーブル挿入口２１から各収納室に挿入されている。
【００２３】
第２のコンタクト４の固定部４１は、コネクタ本体２の内面（下壁の上面）に下側縁を当接させた状態でコンタクト収納空間２０に配置されている。固定部４１においてケーブル挿入口２１側の端部には、コネクタ本体２の下壁に設けた切欠部２ｂから下方に延出して、図示しない実装基板に設けられた導体パターンに半田付けされる端子片４４が設けられている。また固定部４１の中間部からは、ケーブル挿入口２１側に突出して、先端部が可動部４２の先端部と対向する弾接片４５が設けられ、この弾接片４５の先端部には、可動部４２側に向かって爪４５ａが突設されている。
【００２４】
第２のコンタクト４の可動部４２の上側には、開口部２２から露出する部位に凹部４６が設けられ、この凹部４６には後述する操作レバー５のカム部５１が挿入されており、この可動部４２によって、操作レバー５の下側（一方側）への移動を規制している。また可動部４２の先端部には、弾接片４５の先端の爪４５ａと対向する部位に、弾接片４５側に向かって爪４２ａが突設されている。すなわち、固定部４１側の爪４５ａと、可動部４２側の爪４２ａとで、固定部４１と可動部４２との間に挿入されるケーブル１００を挟持する構成となっている。
【００２５】
操作レバー５は、絶縁性の合成樹脂により左右方向に細長い長板形状に形成されており、幅方向（図４（ｂ）における上下方向）の一端側に設けたカム部５１，５２を回転中心として、ケーブル１００を相対的に抜けにくくする抜止位置と、ケーブル１００を相対的に抜けやすくする挿抜位置との間で、コネクタ本体２に対して回動自在に保持されている。
【００２６】
カム部５１は、約４分の３円周の円柱部５１ａと円柱部５１ａから突設された直方体部５１ｂとで構成され、円柱部５１ａの軸方向が左右方向に並ぶように設けられ、操作レバー５の間隙部５３に可動部３２が位置するとともに、円柱部５１ａの周面を第１のコンタクト３の凹部３６に当接させた状態で配置されている。操作レバー５を回転操作すると、この操作レバー５の操作に応じてコネクタ本体２の下壁からカム部５１の上端位置までの距離が変化し、図１（ｂ）に示すように操作レバー５を倒した状態（抜止位置）ではコネクタ本体２の下壁からカム部５１の上端位置までの距離が最大となり、図１（ａ）に示すように操作レバー５を起こした状態（挿抜位置）ではコネクタ本体２の下壁からカム部５１の上端位置までの距離が最小となる。また直方体部５１ｂは、操作レバー５を起こした状態（挿抜位置）から倒した状態（抜止位置）まで回動させる際にバネ突起部３５を押下げ可能な程度の長さを有するとともに、図１（ｂ）に示すように操作レバー５を倒した状態（抜止位置）では、バネ突起部３５から外れて当該バネ突起部３５に下向きの負荷を与えないようになっている。
【００２７】
カム部５２は第２のコンタクト４の凹部４６に対応して設けられ、断面形状が矩形状に形成されている。操作レバー５を回転操作すると、この操作レバー５の操作に応じてコネクタ本体２の下壁からカム部５２の下端位置までの距離が変化し、図２（ｂ）に示すように操作レバー５を倒した状態（抜止位置）ではコネクタ本体２の下壁からカム部５２の下端位置までの距離が最小となり、図２（ａ）に示すように操作レバー５を起こした状態（挿抜位置）ではコネクタ本体２の下壁からカム部５２の下端位置までの距離が最大となる。
【００２８】
上記のように本実施形態では、操作レバー５のカム部５１，５２が、複数極の各コンタクト３，４の可動部３２，４２にそれぞれ対応して設けられ、偶数ピンの第１のコンタクト３の可動部３２がカム部５１を下側へ押圧するとともに、奇数ピンの第２のコンタクト４の可動部４２がカム部５２を上側へ押圧しているので、コネクタ本体２に操作レバー５を枢支する軸受構造を設けなくても、コネクタ本体２に保持された各コンタクト３，４に、操作レバー５を回動自在に枢支させることができるようになっている。
【００２９】
ここで、本実施形態のコネクタ１にケーブル１００を固定する際の動作について説明する。
【００３０】
ケーブル１００を接続する前は、図１（ａ）、図２（ａ）及び図３に示すように操作レバー５を直立する位置（各コンタクト３，４の固定部３１，４１と略直交する位置）にあり、この状態ではカム部５１が第１のコンタクト３の凹部３６を上側に押圧していないので、可動部３２の弾性変形が発生せず、可動部３２の爪３２ａは、固定部３１の爪３１ａから離れる方向（上側）に変位している。また、この状態ではカム部５２が第２のコンタクト４の凹部４６を下向きに押圧していないので、可動部４２の弾性変形が発生せず、可動部４２の爪４２ａは、弾接片４５の爪４５ａから離れる方向（上側）に変位している。したがって、操作レバー５が、図１（ａ）及び図２（ａ）に示す挿抜位置に回転した状態では、可動部３２，４２の爪３２ａ，４２ａがケーブル１００と接触しない位置に変位しているので、ケーブル１００をコネクタ１に差込接続する際の抵抗を小さくでき、ＦＰＣのような柔らかいケーブル１００でもコネクタ１に容易に差込接続することができる。尚、操作レバー５を挿抜位置に回転させた状態で、各コンタクト３，４の爪３２ａ，４２ａがケーブル１００に接触する位置に配置されていてもよく、この場合はケーブル１００を挿入すると同時に電気的な接続が確立されるが、操作レバー５が抜止位置にある場合に比べて、各コンタクト３，４がケーブル１００を保持する保持力は相対的に小さい状態となっているので、ケーブル１００が相対的に抜けやすい状態となっている。
【００３１】
操作レバー５を挿抜位置に回転させた状態で、ケーブル挿入口２１からコネクタ本体２の内部にケーブル１００を挿入すると、隔壁２３に設けたガイド溝２４にケーブル１００の上下両面がガイドされることによって、各コンタクト３，４の固定部３１，４１と可動部３２，４２の間にケーブル１００が挿入される。
【００３２】
ケーブル１００をコネクタ本体２の内部に挿入した状態から、カム部５１及びカム部５２を回転中心として、図１、図２、及び図３（ｃ）でみて反時計回りに操作レバー５を回転させる。操作レバー５を回転させると、カム部５１の直方体部５１ｂは、バネ突起部３５の乗り上げ突部３５ａの前側（図１の左側）に当接した後、バネ突起部３５を下向きに押下げながら乗り上げ突部３５ａを乗り越えて、操作レバー５が抜止位置まで回転したときには乗り上げ部３５ａの後側（図１の右側）へと至る（図１（ｂ））。このときのバネ突起部３５の挙動は、直方体部５１ｂが乗り上げ突部３５ａを乗り越えているときに最も下方へと押下げられており、直方体部５１ｂが乗り上げ突部３５ａを乗り越え終わり、乗り上げ突部３５ａから外れてバネ突起部３５の後側へと至ると、上方へと弾性的に復帰する。このように、カム部５１が乗り上げ突部３５ａを乗り越えながら回転するので、操作者は、カム部５１が乗り上げ突部３５ａを乗り越え終わったときに適当なクリック感を得ることができる。また、カム部５１が乗り上げ突部３５ａを乗り越えるときには、バネ突起部３５が下方へと押下げられるようになっているので、例えば固定部３１上に直接乗り上げ突部を設けたときのように、カム部５１自体が乗り上げ突部によって上方へ押し上げられるおそれが小さく、操作レバー５を安定して操作することができる。なお、操作が不安定にならない程度であれば、カム部５１が乗り上げ突部３５ａによって上方へ押上げられる構成であってもよい。
【００３３】
操作レバー５が、図１（ｂ）、図２（ｂ）及び図４に示す抜止位置まで回転した状態では、カム部５１が第１のコンタクト３の凹部３６を上向きに押圧して可動部３２を弾性変形させることで、支持部３３を支点として可動部３２の爪３２ａが固定部３１側に変位し、可動部３２の爪３２ａがケーブル１００の上面に設けられた導体パターン１０１に弾接している。またこの時、カム部５２が第２のコンタクト４の凹部４６を下向きに押圧して可動部４２を弾性変形させることによって、可動部４２の爪４２ａが弾接片４５側（下側）に変位して、可動部４２の爪４２ａがケーブル１００の上面に設けられた導体パターン１０１に弾接している。したがって、このときには、可動部３２，４２の爪３２ａ，４２ａがそれぞれケーブル１００に押し付けられるから、各コンタクト３，４の接圧によってケーブル１００が保持された状態となり、ケーブル１００が相対的に抜けにくい状態となる。また、可動部３２の爪３２ａと固定部３１の爪３１ａとの間にケーブル１００が挟持されるとともに、可動部４２の爪４２ａと弾接片４５の爪４５ａとの間にケーブル１００が挟持されることによって、各コンタクト３，４とケーブル１００の導体パターン１０１との間が電気的に接続された状態となる。
【００３４】
一方、ケーブル１００がコネクタ１に接続されている状態で、操作レバー５を抜止位置から挿抜位置まで回転させると、カム部５１，５２が各コンタクト３，４の凹部３６，４６を押圧する力が無くなり、可動部３２，４２のバネ復帰力によって、可動部３２，４２の爪３２ａ，４２ａが上方へ変位してケーブル１００から離れるので、各コンタクト３，４がケーブル１００を保持する力がなくなり、ケーブル１００を容易に引き抜くことができる。なお本実施形態では、操作レバー５を抜止位置から挿抜位置まで回転させるときにも、カム部５１が乗り上げ突部３５ａを乗り越えながら回転するので、適当なクリック感を得ることができるようになっている。
【００３５】
本実施形態のコネクタ１は以上のような構成を有しており、操作レバー５を挿抜位置から抜止位置まで回転させる際に、カム部５１の直方体部５１ｂがバネ突起部３５を押下げながら乗り上げ突部３５ａを乗り越えて、乗り上げ突部３５ａを乗り越え終わったときにバネ突起部３５が弾性的に復帰するようになっている。よって、カム部５１が乗り上げ突部３５ａを乗り越え終わったときに適当なクリック感が得られ、操作レバー５が抜止位置まで回転したことを容易に認識することができ、作業性の高いコネクタを得ることができる。
【００３６】
なお、本実施形態ではケーブル１００の上面に設けられた導体パターン１０１と、可動部３２，４２に設けられた爪３２ａ，４２ａとが電気的に接触しているが、固定部３１，４１側に設けられた爪３１ａ，４５ａが、ケーブル１００の下面に設けられた導体パターンに電気的に接触するようにしてもよい。
【００３７】
また、コンタクト収納空間２０内に配設するコンタクトとして、第２のコンタクト４を用いずに第１のコンタクト３だけを用い、コネクタ本体２に操作レバー５の軸受構造を設ける構成としてもよい。
【００３８】
また、必ずしもすべての第１のコンタクト３にバネ突起部３５を設ける必要はなく、操作レバー５を抜止位置まで回転させるときに十分なクリック感が得られるのであれば、複数の第１のコンタクト３のうちで一つだけにバネ突起部３５を設けるなどしてもよい。
【符号の説明】
【００３９】
１    コネクタ
２    コネクタ本体
３    第１のコンタクト
４    第２のコンタクト
５    操作レバー
２０    コンタクト収納空間
２１    ケーブル挿入口
３１，４１  固定部
３２，４２  可動部
３３，４３  支持部
３５    バネ突起部
３５ａ  乗り上げ突部
３６，４６  凹部
５１，５２  カム部
１００    ケーブル
１０１    導体パターン
【図１】
2011065830.tif 000003
【図２】
2011065830.tif 000004
【図３】
2011065830.tif 000005
【図４】
2011065830.tif 000006
【図５】
2011065830.tif 000007
【図６】
2011065830.tif 000008